(57)【要約】【課題】  カートターミナルにキャスタ付の足を当接させて配置するときナースカートのトップボード先端がカートターミナルに衝突することのない構造を備えたナースカート用什器を提供する。【解決手段】  前後方向に延びる水平な足部１と該足部１の長さ方向略中央から略垂直に立上がる支柱部２により側面視略逆Ｔ状に形成されたサイドフレームＳＦと、左右方向に離間して配した前記サイドフレームの対面する上部の間を繋ぐ上部連結フレームを備えるナースカートターミナルＣＴにおいて、前記サイドフレームＳＦの対面する下部の間に、前記ナースカートターミナルＣＴの前面側と後面側に接近して対面配置されるナースカートのトップボード同士が干渉しないように前記ナースカートの接近位置を規制するバンパー４を架設した。【選択図】  図４
2020192177.tif 000002
【特許請求の範囲】
【請求項１】
前後方向に延びる水平な足部と該足部の長さ方向略中央から略垂直に立上がる支柱部により側面視略逆Ｔ状に形成されたサイドフレームと、左右方向に離間して配した前記サイドフレームの対面する上部の間を繋ぐ上部連結フレームを備えるナースカートターミナルにおいて、前記サイドフレームの対面する下部の間に、前記ナースカートターミナルの前面側と後面側に接近して対面配置されるナースカートのトップボード同士が干渉しないように前記ナースカートの接近位置を規制するバンパーを架設したことを特徴とするナースカート用什器。
【請求項２】
前記バンパーは、平行に配置する少なくとも２本の鋼管部材の両端部を結合
部材で連結し平面視略長方形の外形に形成したものである請求項１のナースカート用什器。
【請求項３】
前記バンパーは、平面視略長方形の鋼板の長辺側の縁部、又は長辺側と短辺側の縁部を、断面略コ状又は略逆Ｌ状に曲げて形成したものである請求項１のナースカート用什器。
【請求項４】
対面する前記サイドフレームの下部に架設する前記バンパーは、前記結合部材と前記サイドフレームの間、又は前記短辺側と前記サイドフレーム間に取付部材を介して前記サイドフレームに結合する請求項２又は３のナースカート用什器。
【発明の詳細な説明】
【技術分野】
【０００１】
本発明は、病院等で使用されるナースワゴンやナースカート等と称されるカート（以下、ナースカートという。）の複数台が集合配置され、必要な備品等の搭載や電子機器の充電等を行うための場所（例えば、ナースセンターやその隣接場所等。）に設置されるナースカート用什器（以下、ナースカートターミナル、又は単にカートターミナルともいう。）に関する。
【背景技術】
【０００２】
入院患者がいる病院では、看護師が各患者の間を巡回し、患者の血圧、心拍数、体温等の測定や点滴液、包帯等の交換など必要な措置を採るために、パソコンを含む必要な機器、機材、用具、用品等を搭載するナースカートが使用されている。
【０００３】
上記ナースカートは、例えばナースセンターに各看護師が集合するとき、各人が携行していた夫々のナースカートを、カートターミナルに接近状態で並べて配置することが行われる。
【０００４】
複数台のナースカートが接近配置されるカートターミナルでは、各看護師が業務上使用しているパソコンやＰＨＳ等の電源を充電したり、配置したナースカート上でパソコンを操作するなどの業務も行われる。
【０００５】
ところで、複数台のナースカートが集合的に接近配置される従来のカートターミナルには、図５、図６に示すように、正面視横長略長方形状で小さめの前後幅を有する筐体部Ｓｂの左右側を、略逆Ｔ状のサイドフレームＳＦに支持させてカートターミナルＣＴに形成したものがある。
【０００６】
上記カートターミナルＣＴの前後両面に複数台のナースカートを対面状態で集合配置する場合、各ナースカートのキャスタ付の足が、筐体部Ｓｂの下部に当接することによって、各ナースカートのトップボード先端がカートターミナルＣＴの筐体部Ｓｂに衝突したり、筐体部Ｓｂの上面に被ることがないというストッパ機能を、前記筐体部Ｓｂが果たしている。
【０００７】
前記カートターミナルＣＴの筐体部Ｓｂは、内部が中空の部屋に形成され、電源コード等やその余長部分等の収納機能も備えている。また前記筐体部Ｓｂを支持する左右のサイドフレームＳＦはこの筐体部Ｓｂ前後幅と同等の前後幅を有する外観に形成されている。
【０００８】
ところで、前記カートターミナルＣＴの外観上の印象を変えるため、例えば筐体部Ｓｂの前後幅を、図５、図６に示す前後幅の１／２以下に形成すると、このカートターミナルＣＴが備えていたナースカートのトップボード先端を筐体部Ｓｂに衝突させない機能、或はトップボード先端側が筐体部Ｓｂの上面に被らない機能は失われてしまう。
【先行技術文献】
【特許文献】
【０００９】
【特許文献１】特開２０１３−２２６１８８号公報
【発明の概要】
【発明が解決しようとする課題】
【００１０】
本発明は、従来のカートターミナルがその形態によって備えていた、接近配置されるナースカートのトップボード先端をカートターミナルに衝突させない機能、或はトップボード先端部をカートターミナルの上面に被らせない機能が、デザイン変更等によって損なわれる形態に設計されたカートターミナルにおいても、カートターミナルに配置されるナースカートのトップボード先端が、当該カートターミナルに衝突せず、また、対面配置されたナースカート同士のトップボードが、互いに干渉することのない構造を備えたカートターミナルを提供することを課題とする。
【課題を解決するための手段】
【００１１】
上記課題を解決することを目的としてなされた本発明カートターミナルの構成は、
前後方向に延びる水平な足部と該足部の長さ方向略中央から略垂直に立上がる支柱部により側面視略逆Ｔ状に形成されたサイドフレームと、左右方向に離間して配した前記サイドフレームの対面する上部の間を繋ぐ上部連結フレームを備えるナースカートターミナルにおいて、前記サイドフレームの対面する下部の間に、前記ナースカートターミナルの前面側と後面側に接近して対面配置されるナースカートのトップボード同士が干渉しないように前記ナースカートの接近位置を規制するバンパーを架設したことを特徴とする。
【００１２】
前記バンパーは、平行に配置する少なくとも２本の鋼管部材の両端部を結合
部材で連結し平面視略長方形の外形に形成したものである。なお、前記バンパーには、平面視略長方形の鋼板の長辺側の縁部、又は長辺側と短辺側の縁部を、断面略コ状又は略逆Ｌ状に曲げて形成したものを用いることができる。
【００１３】
前記バンパーは、前記結合部材と前記サイドフレームの間、又は前記短辺側と前記サイドフレーム間に、取付部材を介在させて前記サイドフレームに結合する取付形態がある。
【００１４】
本発明における上部連結フレームは、縦長の略逆凹状断面又は縦長の略ロ状断面を有し、その上面又は前後両面に、電源コンセントを含む電気コネクタを備えている。
【００１５】
また、前記上部連結フレームは、当該上部連結フレームが有する天板支持部材を介して前記上部連結フレームの上に載置した一枚天板を備え、前記一枚天板に電源コンセントを含む電気コネクタを備えたものがある。
【００１６】
本発明ナースカートターミナルにおいては、上面に電気コネクタを備えた前記上部連結フレームが、その上部連結フレームの上端部を挟む形で２枚の天板を、天板支持部材を介して備えたものもある。
【００１７】
また、前記２枚の天板を支持する天板支持部材は、前記支柱部の前後面に設けた天板支持部材の装着部に着脱式で設けられる。
【００１８】
さらに、前記２枚の天板用の天板支持部材の装着部は、前記支柱部の前後面の上半部に天板支持部材の高さを選択して装着できるように設けている。
【００１９】
本発明では、支柱部の前後面において高さを違えて装着した天板支持部材に、２枚の天板を夫々に支持させた形態のカートターミナルに形成できる。
【００２０】
また、前記サイドフレームの支柱部は、平断面形状が横向き略凹状の強度部材と該強度部材の開放面を塞ぐ着脱式のカバー部材を備えたもので形成してもよい。
【００２１】
支柱部が上記構造のものでは、前記２枚の天板用の天板支持部材の装着部を、前記支柱部の強度部材に設ける。
【００２２】
さらに前記上部連結フレームと下部連結フレームの前面と後面には、幕板を含むパネル部材を着脱式又は開閉式で設けることができる。
【発明の効果】
【００２３】
本発明カートターミナルは、ナースカートが接近できる限度を規定するバンパーを、左右のサイドフレームの下部に設けたから、カートターミナルの前後幅が小さくデザインされたカートターミナルであっても、ナースカートのキャスタ付の足が、トップボードがカートターミナルに届くより先にバンパーに当接するから、対面したナースカートのトップボード同士の干渉を回避し、トップボード先端がカートターミナルに衝突することを防止できる。
【図面の簡単な説明】
【００２４】
【図１】本発明カートターミナルの一例の斜視図。
【図２】図１のカートターミナルの底面側斜視図。
【図３】図１のカートターミナルの正面図。
【図４】図１のカートターミナルにナースカートが配置された例の側面図。
【図５】従来のカートターミナルの一例の斜視図。
【図６】図５のカートターミナルの縦断側面図。
【発明を実施するための形態】
【００２５】
次に、図を参照して本発明カートターミナルの実施形態の一例について説明する。
図１〜図４において、１は前後方向に延びた水平な足部、１ａは足部１の下面両端に設けたアジャスタ、２は前記足部１の長さ方向の略中央において垂直に立上がった姿勢で設けた支柱部である。前記支柱部２は、図５，６に示した従来のカートターミルの支柱部の前後幅に比べ、デザイン上の要請によりかなり細く形成されている。
【００２６】
前記足部１とこの足部１に立接された支柱部２は、側面視略逆Ｔ状を呈するサイドフレームＳＦを形成する。図示したサイドフレームＳＦにおける支柱部２は、その長さ（高さ）が後述する天板６，７が設けられる高さより大きく形成されている。
本発明によるカートターミナルには、図示しないが、図１の天板６，７の上面と略同じ高さの支柱部２や、図１に示した支柱部２の高さよりも高い支柱部２を使用したカートターミナルもある。
【００２７】
前記サイドフレームＳＦは、その２つを左右方向で離間して配置し、配置した左右のサイドフレームＳＦの対向面における上部に、上部連結フレーム３を架設して結合することにより、前記左右のサイドフレームＳＦとこのサイドフレームＳＦに結合された上部連結フレーム３を備えるカートターミナルＣＴの一形態例に構成される。
【００２８】
上部連結フレーム３は、一例として断面形状が縦長略凹状の連結フレーム本体３ａで形成されている。連結フレーム本体３ａは、その上面開口に着脱可能に被せた蓋部を有するものもある。前記連結フレーム本体３ａの前後幅は、前記支柱部２の前後幅と同等の大きさで、前後幅を小さく（厚さを薄く）形成している。これはデザイン上の要請によってカートターミナルＣＴの前後幅を薄く（スマートに）見せるためである。
【００２９】
上記連結フレーム本体３ａは、断面形状が上記の縦長略凹状のものに限られず、例えば断面が横向き凹状の部材を対面させた組合せ部材や縦長の断面略□状部材を用いることができる。
【００３０】
連結フレーム本体３ａは、その下面側から電気コードを内部に通し、その電気コードを上面側へ引出せるコード挿通構造を備えている。
【００３１】
４は、左右のサイドフレームＳＦの対向面の下部に架設したバンパーである。図示したバンパー４は、外側寸法の離間幅を２００〜３００ｍｍ程度に設定した２本の鋼管部材によるバンパー本体４ａと、２本の鋼管部材の少なくとも両端を繋いで一体化する結合部材４ｂにより平面視の輪郭が略横向き長方形状のバンパーに形成されている。このバンパー４は、両端の結合部材４ｂにおいて前記サイドフレームＳＦの対向した内面にボルトナットやビス止め等により結合（固着）される。
前記バンパー本体４ａは、２本以上の鋼管部材を使用してもよく、鋼管部材に角パイプ又は丸パイプの何れを用いるかは任意である。前記鋼管部材に代えて断面略コ状等にチャンネル材をバンパー本体４ａに用いることができる。結合部材４ｂは、両端部の２つだけでもよく、或は両端部を含み４つ以上であってもよい。
【００３２】
上記バンパー４は、足部１と平行方向における幅（前後幅）が上記２００〜３００ｍｍであれば、略長方形の鋼板部材を、その長辺側の縁、又は長辺側と短辺側の縁を断面が略コ状や略逆Ｌ状に曲げて平面視の輪郭が略長方形状のバンパー４に形成したものでもよい。
なお、鋼板部材で形成したバンパー４において長さ方向の左右側に縁が曲げられないバンパー４は、当該バンパー４とサイドフレームＳＦ（支柱部２）の内面の結合のため、前記バンパー４の左右側端部と左右のサイドフレームＳＦの対向した内面の間に、図示しない取付部材を介在させることがある。前記取付部材は、他の形態のバンパー４とサイドフレームＳＦの内面の結合において用いることもある。
【００３３】
上述したいずれのバンパー４も、その前後幅を支柱部２の前後幅（足部１と平行な向きの幅）よりも大きく形成している。これは先に述べたように支柱部１の前後幅が細く、この幅に合わせてカートターミナル全体の前後幅が小さめに形成されているため、バンパー４を設けないとカートターミナルに対向配置されるナースカートのトップボード同士の干渉が起きるからである。因みに、図５、図６に示した従来のカートターミナルＣＴにおいては、サイドフレームＳＦの支柱部の前後幅とターミナル本体をなす筐体部Ｓｂの前後幅が同等に形成されていたから幅広であり、この幅によって対面配置するナースカートでもトップボード同士の干渉は生じなかった。なお、図５、図６において、図１〜図４のカートターミナルＣＴと同じ部材には、同じ符号を付けている。
【００３４】
本発明では、上記足部１と支柱部２を備える左右のサイドフレームＳＦと、両サイドフレームＳＦを結合する上部連結フレーム３と、サイドフレームＳＦの下部に架設したバンパー４によって、最も基本的な形態の本発明カートターミナルＣＴに構成される。
【００３５】
図１〜図４に図示した実施形態例は、上記の基本形態の本発明カートターミナルＣＴに、以下に説明する構成を付加したものである。
【００３６】
基本形態の本発明カートターミナルＣＴにおいて、上部連結フレーム３と下部のバンパー４の間には、２枚の幕板状のパネル部材５が、左右の支柱部２の前後両面において着脱可能に設置されている。２枚のパネル部材５の間は、電気コードの挿通部や余長コードに保留部を形成する空間として利用できる。
【００３７】
また、基本形態の本発明カートターミナルＣＴにおいては、図１に示すように、上部連結フレーム本体３ａの上面に１枚天板６が載置されている。前記天板６の上面には、前記電気コードに接続された電源コンセントを含む電気コネクタ６ａが、図の例では４個が等ピッチで配置されている。前記１枚天板６の裏面の手前縁近傍には、ＵＳＢポート等の電気コネクタ６ａが配置されている。
本発明には、蓋を有する上部連結フレーム本体３ａの上面を挟む形で２枚の天板を設けたカートターミナルＣＴもある。
【００３８】
前記１枚天板６は、左右のサイドフレームＳＦにおける夫々の支柱部２に設けたブラケット状の天板支持部材７，８によって支承されている。前記１枚天板６は、図示しないが、上部連結フレーム３の中間部に設けた天板支持部材（図に表われず）によっても支持される。
【００３９】
図１〜図４示した本発明カートターミナルＣＴでは、左右のサイドフレームＳＦの支柱部２に、上端が天板６，７の高さより高く位置する上部側２ａを有する支柱部材を使用している。これは、左右の支柱部２の上部側２ａの対向面間にディスプレイパネル等を係止する支持バー部材９を架設するためである。
【００４０】
本発明カートターミナルＣＴは以上の通りであって、カートターミナルＣＴを形成する左右のサイドフレームＳＦの下部に設けたバンパー４は次の作用効果を奏する。
すなわち、図４に例示するように、ナースカートＮＣをカートターミナルＣＴに接近させるとき、ナースカートＮＣのトップボードＮ１の先端Ｎａが、カートターミナルＣＴに衝突することが無い。ナースカートＮＣのキャスタＮ３を備えた足Ｎ２の先端部Ｎｂが先にバンパー４に当接するからである。この結果、左右の支柱部２と上部連結フレーム３とパネル部材５によるターミナル本体の前後幅を小さく設計したカートターミナルＣＴであっても、ナースカートＮＣのトップボード先端Ｎａがターミナル本体Ｔｂに衝突することがない（図４参照）。
【００４１】
また、ナースカートＮＣのトップボードＮ１が、カートターミナルＣＴの上面より高い位置にある場合でも、前記トップボードＮ１がカートターミナルＣＴの上面に被さることは無いから、対面配置したナースカートＮＣのトップボードＮ１同士が互いに干渉することは無く、夫々のトップボードＮ１の上に置いたＰＣの操作等が対向側のナースカートＮＣの存在によって阻害されることがない。
図４において、Ｎ４はナースカートＮＣの支柱、Ｎ５は支柱Ｎ４に設けた棚、Ｎ６は押し引き用のハンドルである。
【符号の説明】
【００４２】
ＣＴ  カートターミナル（ナースカート用什器）
ＳＦ  サイドフレーム
１  足部
２  支柱部
３  上部連結フレーム
４  バンパー
【図１】
2020192177.tif 000003
【図２】
2020192177.tif 000004
【図３】
2020192177.tif 000005
【図４】
2020192177.tif 000006
【図５】
2020192177.tif 000007
【図６】
2020192177.tif 000008